(57)【要約】【課題】簡単な構造を有し、簡便な方法で作製することができ、被設置面が傾斜している場合にも十分なすべり止め効果を発揮し、被設置面が略垂直の場合にも設置することができる装飾材を提供する。【解決手段】装飾を施した布帛からなる布帛層と、布帛層の裏面に設けられた粘着層と、を有する装飾材であって、粘着層は、被設置面に対して前記装飾材を接着及び剥離することが繰返し可能であること、を特徴とする装飾材。【選択図】図１
0003176502.tif 000002
【実用新案登録請求の範囲】
【請求項１】
装飾を施した布帛からなる布帛層と、前記布帛層の裏面に設けられた粘着層と、を有する装飾材であって、
前記粘着層は、被設置面に対して前記装飾材を接着及び剥離することが繰返し可能であること、を特徴とする装飾材。
【請求項２】
前記粘着層は、アクリル樹脂系粘着剤で構成されていること、を特徴とする請求項１に記載の装飾材。
【請求項３】
前記布帛層が前側開口部を有するとともに、前記粘着層が前記前側開口部より大きな後側開口部を有し、前記前側開口部と前記後側開口部との間に段差が設けられており、
前記段差に嵌まる透明シートを有すること、を特徴とする請求項１に記載の装飾材。
【考案の詳細な説明】
【技術分野】
【０００１】
本考案は、織物、編物、不織不又はフェルト等の布帛を用いた装飾材に関する。
【背景技術】
【０００２】
従来から、装飾を施した布帛を用いて多くの商品が作製されて市場に出回っている。このような商品としては、例えば、織物、編物若しくはフェルト等を用いたコースター、ランチョンマット又はテーブルクロス等が挙げられる。
【０００３】
例えば、特許文献１（実開平０７−００１０９８号公報）においては、自然の素材・布、紙・和紙にシリコーン樹脂をコーティングし、高機能コースター等の敷物や、滑り止めシートを提供する技術が開示されている。
【０００４】
具体的には、布、紙・和紙等の素材の片面もしくは両面にシリコーン樹脂を微細な凹凸・突起をつけてコーティングし、振動や衝撃を吸収させたり滑りにくくさせたりする安全な敷物等のシート類が提案されている。
【０００５】
また、例えば特許文献２（特開２００８−１０４８７１号公報）においては、基布の両面の静摩擦係数が高く、すべりにくく、密着性またはすべり止め性に優れたすべり止め部材を提供する技術が提案されている。
【０００６】
具体的には、シート本体の基布が主にナイロン系繊維の編物からなり、該基布の少なくとも一方の面にポリエステル系ポリウレタン樹脂、ポリエーテル系ポリウレタン樹脂、アクリル系樹脂からなる群から選ばれた少なくとも１種の樹脂よりなる樹脂皮膜を有し、破断点強度及び破断点伸度が特定の範囲内にあるすべり止め部材が提案されている。
【０００７】
そして、この特許文献２では、上記すべり止め部材が、小物置マット、車椅子のクッションずれ落ち防止シート、枕あるいはカーペットあるいは玄関マットのすべり防止下敷きマット、ベッド−ベッドパン間のずれ防止マット、グリップ補助テープ、足下すべり止めシート、食器棚シート、食器の転倒防止ランチョンマット、コースター、蓋開けに適用されることも開示されている。
【先行技術文献】
【特許文献】
【０００８】
【特許文献１】実開平０７−００１０９８号公報
【特許文献２】特開２００８−１０４８７１号公報
【考案の概要】
【考案が解決しようとする課題】
【０００９】
しかしながら、上記特許文献１の技術では、布、紙・和紙等の素材の片面若しくは両面にシリコーン樹脂を微細な凹凸・突起をつける必要があり、作製工程に手間がかかり煩雑である。また、上記特許文献２の技術では、基布に樹脂皮膜を設けるのに手間がかかり、破断点強度及び破断点伸度が特定の範囲内にコントロールするのが困難である。
【００１０】
更に、上記特許文献１及び２で得られるシート等は、略水平面からなる被設置面に対してはすべり止めの効果を有するものの、被設置面が傾斜している場合には十分なすべり止め効果を有さず、被設置面が略垂直の場合には、そもそも設置できないものであった。
【００１１】
そこで、本考案は、簡単な構造を有し、簡便な方法で作製することができ、被設置面が傾斜している場合にも十分なすべり止め効果を発揮し、被設置面が略垂直の場合にも設置することができる装飾材を提供することを目的とする。
【課題を解決するための手段】
【００１２】
上記のような問題を解決するため、本考案は、装飾を施した布帛からなる布帛層と、布帛層の裏面に設けられた粘着層と、を有する装飾材であって、粘着層は、被設置面に対して前記装飾材を接着及び剥離することが繰返し可能であること、を特徴とする装飾材を提供する。
【００１３】
このような構成を有する本考案の装飾材は、簡単な構造を有し、簡便な方法で作製することができ、被設置面が傾斜している場合にも十分なすべり止め効果を発揮し、被設置面が略垂直の場合にも設置することができるものである。
【００１４】
本考案の装飾材は、小物置マット、車椅子のクッションずれ落ち防止シート、枕あるいはカーペットあるいは玄関マットのすべり防止下敷きマット、ベッド−ベッドパン間のずれ防止マット、グリップ補助テープ、足下すべり止めシート、食器棚シート、食器の転倒防止ランチョンマット、コースター、蓋開けに適用できるばかりか、被設置面に対して装飾材を接着及び剥離することが繰返し可能であるから、壁面に貼付して部屋等を装飾するために用いることもできる。
【００１５】
本考案の装飾材においては、粘着層がアクリル樹脂系粘着剤で構成されていること、が好ましい。
【００１６】
このような構成を有する本考案の装飾材においては、アクリル樹脂系粘着剤で構成されている粘着層に、ある程度の厚み及び強度を持たせることが可能であり、したがって、装飾材の取扱性や寿命が向上する。
【００１７】
また、本考案の装飾材においては、布帛層が前側開口部を有するとともに、粘着層が前側開口部より大きな後側開口部を有し、前側開口部と後側開口部との間に段差が設けられており、段差に嵌まる透明シートを有すること、が好ましい。
【００１８】
このような構成を有する本考案の装飾材は、上記と同様に、簡単な構造を有し、簡便な方法で作製することができるとともに、被設置面が略垂直の場合にも設置することができることから、透明シートと被設置面である壁面との間に写真を保持することができ、フォトフレームとして好適に用いることができる。
【考案の効果】
【００１９】
本考案によれば、簡単な構造を有し、簡便な方法で作製することができ、被設置面が傾斜している場合にも十分なすべり止め効果を発揮し、被設置面が略垂直の場合にも設置することができる装飾材を提供することができる。
【図面の簡単な説明】
【００２０】
【図１】本考案の装飾材の第一実施形態（コースター）の概略上面図である。
【図２】図１に示す第一実施形態のコースターの概略背面図である。
【図３】図１に示す第一実施形態のコースターのＸ−Ｘ線概略縦断面図である。
【図４】本考案の装飾材の第二実施形態（フォトフレーム）の概略上面図である。
【図５】図４に示す第二実施形態のフォトフレームの概略背面図である。
【図６】図４に示す第二実施形態のフォトフレームのＹ−Ｙ線概略縦断面図である。
【図７】図４に示す第二実施形態のフォトフレームを壁面からなる被設置面に設置した様子を示す概略図である。
【考案を実施するための形態】
【００２１】
以下、図面を参照しながら本考案の装飾材の代表的な実施形態について詳細に説明する。なお、以下の説明では、同一又は相当部分には同一符号を付し、重複する説明は省略する場合がある。また、各図面は、本考案を概念的に説明するためのものであるから、表された各構成要素の寸法やそれらの比は実際の製品とは異なる場合もある。
【００２２】
［第一実施形態］
図１は、本考案の装飾材の第一実施形態（コースター）の概略上面図であり、図２は、図１に示す第一実施形態のコースターの概略背面図である。また、図３は、図１に示す第一実施形態のコースターのＸ−Ｘ線概略縦断面図である。
【００２３】
本実施形態のコースター１は、装飾を施した布帛からなる布帛層２と、布帛層２の裏面に設けられた粘着層４と、を有し、粘着層４が、被設置面に対してコースター１を接着及び剥離することが繰返し可能であること、を特徴とする装飾材である。
【００２４】
布帛層２は、布帛で構成されており、布帛とは、例えば織物、編物、不織布又はフェルト等を含む概念である。かかる布帛を構成する繊維としては、従来公知の種々のものが挙げられる。
【００２５】
具体的な布帛としては、例えば、木綿、麻、ビスコースレーヨン、溶剤紡糸セルロース等のセルロース系繊維、羊毛又は絹等の動物性繊維、ポリエステル系繊維、ポリアミド系繊維、アクリル系繊維、ビニロン繊維、ポリ乳酸繊維等の合成繊維等が挙げられる。これらの繊維は混紡、合撚、交織又は交編等の手段で混用されていてもよい。
【００２６】
本実施形態のコースター１を構成する布帛は、図１及び図３に示すように、切断により開口２ａを設けて周縁部を花びら様に切断することにより、バラ様の装飾が施されている。本実施形態においては、バラ様の装飾としたが、種々の花、葉又は木等の自然物や建造物等の有体物の形状を象って装飾してもよい。
【００２７】
布帛層２の裏面に設けられている粘着層４は、被設置面に対してコースター１を接着及び剥離することが繰返し可能とする粘着剤であれば、種々の粘着剤で構成することができる。
【００２８】
図２及び図３に示すように、粘着層４には、図１の布帛層２の開口部２ａに対応して開口４ａが設けられており、図２に示すように、粘着層４には、図１の布帛層２の輪郭に対応する輪郭を有し、バラ様の装飾が施されている。
【００２９】
粘着層４を構成する粘着剤としては、例えば、各種穀物澱粉、ガラクトマンナン等の天然物由来の各種多糖類、コーンプロティン、アルブミン、ゼラチン等の蛋白質、天然ガム質、シェラック、グリセリン若しくはこれらを配合した混合物、又は、アクリル樹脂系粘着剤若しくは酢酸ビニール共重合体系粘着剤等が挙げられる。
【００３０】
なかでも、粘着層４はアクリル樹脂系粘着剤で構成されていることが好ましい。アクリル樹脂系粘着剤を用いれば、ある程度の厚み及び強度を有する粘着層４を形成することができ、したがって、コースター１の取扱性や寿命が向上する。
【００３１】
また、本実施形態において、粘着層４には、図２に示すように、浅い溝４ｂが設けられている。これは、粘着層４が、被設置面に接着させた後に剥離し易くするためである、つまり、粘着層４の被設置面に対する接触面積を低減させることにより、コースター１の剥離を容易にしている。
【００３２】
この溝４ｂは、図２に示すように、並行する複数の直線状の溝であってもよいが、間隔を狭めたり広げたり、直線状の部分が途切れていたりしてもよい（なお、図２において、溝４ｂは、便宜上、１本の直線で表わしている。）。また、粘着層４に凹凸部分があれば、剥離を容易とする効果が得られるため、種々の形状を有する凹凸部分を形成してもよい。
【００３３】
なお、粘着層４を構成する粘着剤の種類等によっては、また、コースター１の厚みを確保したい場合等には、布帛層２と粘着層４との間にスペーサを配置してもよい（図示せず。）。このスペーサは、布帛層２を構成する材料で構成してもよいし、粘着層４を構成する材料で形成してもよい。また、布帛層２及び粘着層４とは別の材料で構成してもよい。
【００３４】
［第二実施形態］
図４は、本考案の装飾材の第二実施形態（フォトフレーム）の概略上面図であり、図５は、図４に示す第二実施形態のフォトフレームの概略背面図である。また、図６は、図４に示す第二実施形態のフォトフレームのＹ−Ｙ線概略縦断面図であり、図７は、図４に示す第二実施形態のフォトフレームを壁面からなる被設置面に設置した様子を示す概略図である。
【００３５】
本実施形態のフォトフレーム１０は、装飾を施した布帛からなる布帛層１２と、布帛層１２の裏面に設けられた粘着層１４と、を有し、粘着層１４が、被設置面に対してフォトフレーム１０を接着及び剥離することが繰返し可能であること、を特徴とする装飾材である。
【００３６】
また、このフォトフレーム１０においては、図４に示すように、布帛層１２が前側開口部１２Ａを有するとともに、図５に示すように、粘着層１４が前側開口部１２Ａより大きな後側開口部１４Ａを有し、前側開口部１２Ａと後側開口部１４Ａとの間に段差が設けられている。フォトフレーム１０は、更に、この段差に嵌まる透明シート２０を有する（図６を参照）。
【００３７】
布帛層１２は、上記第一実施形態の布帛層２を同様に布帛で構成されており、布帛とは、例えば織物、編物、不織布又はフェルト等を含む概念である。かかる布帛を構成する繊維としては、従来公知の種々のものが挙げられる。
【００３８】
具体的な布帛としては、例えば、木綿、麻、ビスコースレーヨン、溶剤紡糸セルロース等のセルロース系繊維、羊毛又は絹等の動物性繊維、ポリエステル系繊維、ポリアミド系繊維、アクリル系繊維、ビニロン繊維、ポリ乳酸繊維等の合成繊維等が挙げられる。これらの繊維は混紡、合撚、交織又は交編等の手段で混用されていてもよい。
【００３９】
本実施形態のフォトフレーム１０を構成する布帛は、図４及び図５に示すように、切断により開口１２ａを設けて周縁部を花びら様、葉様、蔓様又は枝様に切断することにより、植物様の装飾が施されている。本実施形態においては、植物様の装飾としたが、種々の花、葉又は木等の自然物や建造物等の有体物の形状を象って装飾してもよい。
【００４０】
布帛層１２の裏面に設けられている粘着層１４は、被設置面に対してフォトフレーム１０を接着及び剥離することが繰返し可能とする粘着剤であれば、種々の粘着剤で構成することができる。特に、フォトフレーム１０は、略垂直の被設置面に貼付されて使用されるため、継続的に続く強い粘着力が必要である。
【００４１】
図５及び図６に示すように、粘着層１４には、図４の布帛層１２の前側開口部１２Ａよりも大きな後側開口部１４Ａが設けられており、図５に示すように、粘着層１４は、略ロの字状の形状を有している。そして、粘着層１４が前側開口部１２Ａより大きな後側開口部１４Ａを有し、前側開口部１２Ａと後側開口部１４Ａとの間に段差が設けられている。
【００４２】
粘着層１４を構成する粘着剤としては、上記第一実施形態の粘着層４と同様に、例えば、各種穀物澱粉、ガラクトマンナン等の天然物由来の各種多糖類、コーンプロティン、アルブミン、ゼラチン等の蛋白質、天然ガム質、シェラック、グリセリン若しくはこれらを配合した混合物、又は、アクリル樹脂系粘着剤若しくは酢酸ビニール共重合体系粘着剤等が挙げられる。
【００４３】
なかでも、粘着層１４はアクリル樹脂系粘着剤で構成されていることが好ましい。アクリル樹脂系粘着剤を用いれば、ある程度の厚み及び強度を有する粘着層１４を形成することができ、したがって、フォトフレーム１０をより確実に略垂直の被設置面に取り付けることができるとともに、その取扱性や寿命が向上する。
【００４４】
また、本実施形態において、粘着層１４には、図５に示すように、浅い溝１４ｂが設けられている（なお、図５において、溝１４ｂは、便宜上、１本の直線で表わしている。）。。これは、粘着層１４が、被設置面に接着させた後に剥離し易くするためである、つまり、粘着層１４の被設置面に対する接触面積を低減させることにより、フォトフレーム１０の剥離を容易にしている。
【００４５】
この溝１４ｂは、図５に示すように、並行する複数の直線状の溝であってもよいが、間隔を狭めたり広げたり、直線状の部分が途切れていたりしてもよい。また、粘着層１４に凹凸部分があれば、剥離を容易とする効果が得られるため、種々の形状を有する凹凸部分を形成してもよい。
【００４６】
なお、粘着層１４を構成する粘着剤の種類等によっては、また、フォトフレーム１０の厚みを確保したい場合等には、布帛層１２と粘着層１４との間にスペーサを配置してもよい（図示せず。）。このスペーサは、布帛層１２を構成する材料で構成してもよいし、粘着層１４を構成する材料で形成してもよい。また、布帛層１２及び粘着層１４とは別の材料で構成してもよい。
【００４７】
本実施形態のフォトフレーム１０においては、図６に示すように、布帛層１２が有する前側開口部１２Ａと粘着層１４が有する後側開口部１４Ａとの間の段差に嵌まるように、透明シート２０が配置される。
【００４８】
フォトフレーム１０は、図６に示す粘着層１４の部分Ｓにおいて、被接着面に接着して取り付けられるため、粘着層１４の後側開口部１４Ａ内において、この透明シート２０と被設置面との間に写真が保持される。写真の画像面は、布帛層１２の前側開口部１２Ａから見えることになる。
【００４９】
ここで、図７に、本実施形態のフォトフレーム１０を壁面からなる略垂直の被設置面に設置した様子を示す。このように設置されたフォトフレーム１０の布帛層１２の前側開口部１２Ａには透明シート２０が面しており、その内側に写真の画像が見えることになる（図示せず）。
【００５０】
かかる透明シート２０としては、内側の写真の画像が見えるものであれば種々の材料で構成することができ、例えば、熱可塑性樹脂、熱硬化性樹脂、放射線硬化型樹脂等を適宜用いることができる。
【００５１】
熱可塑性樹脂としては、例えばポリエチレンテレフタレート（ＰＥＴ）及びポリエチレンナフタレート（ＰＥＮ）等のポリエステル樹脂、ポリメチルメタクリレート（ＰＭＭＡ）等のアクリル樹脂、ポリカーボネート（ＰＣ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、含ノルボルネン樹脂、ポリエーテルスルホン等の各種樹脂を使用することができる。
【００５２】
放射線硬化型樹脂としては、例えばアクリロイル基、メタクリロイル基、アクリロイルオキシ基、メタクリロイルオキシ基、エポキシ基、ビニルエーテル基、オキセタン基等、重合性不飽和結合やそれに類する官能基を有するモノマー、オリゴマー、プレポリマーを適宜混合した組成物を用いたものが挙げられる。
【００５３】
熱硬化型樹脂としては、例えばフェノール樹脂、フラン樹脂、キシレン・ホルムアルデヒド樹脂、ケトン・ホルムアルデヒド樹脂、ユリア樹脂、メラミン樹脂、アニリン樹脂、アルキド樹脂、不飽和ポリエステル樹脂、エポキシ樹脂等を挙げることができる。
【００５４】
以上、本考案の代表的な実施形態について説明したが、本考案は、本考案の技術的思想の範囲内で適宜の設計変更が可能であり、かかる設計変更は全て本考案の技術的範囲に含まれる。
【符号の説明】
【００５５】
１・・・コースター、
２・・・布帛層、
２ａ・・・開口、
４・・・粘着層、
４ａ・・・開口、
１０・・・フォトフレーム、
１２・・・布帛層、
１２Ａ・・・前側開口部、
１４・・・粘着層、
１４Ａ・・・後側開口部。
【図１】
0003176502.tif 000003
【図２】
0003176502.tif 000004
【図３】
0003176502.tif 000005
【図４】
0003176502.tif 000006
【図５】
0003176502.tif 000007
【図６】
0003176502.tif 000008
【図７】
0003176502.tif 000009